(57)【特許請求の範囲】
【請求項１】
背凭れを、脚体の後部より起立する背凭れ支持杆により支持するとともに、肘掛けにおける上下方向を向く取付基部の下端部を、前記背凭れの側方において前記脚体の後側端に設けた肘掛け支持部材の上向突部に嵌合し、かつ前記取付基部の上端部を、前記背凭れの側面にボルトをもって締着することにより、前記肘掛けを、その取付基部の内側面が背凭れの側面と当接するようにして、前記脚体と背凭れに取付けたことを特徴とする椅子における肘掛け取付構造。
【請求項２】
背凭れ支持杆に、背凭れを、それに設けた下方に開口する取付孔を嵌合することにより支持し、肘掛けの取付基部に外側方より挿入したボルトを、背凭れの側端部を貫通して、前記背凭れ支持杆の上部に設けた左右方向を向くめねじ孔に螺合することにより、肘掛けを、その取付基部と前記背凭れ支持杆とにより背凭れの側端部を挟持するようにして取付けてなる請求項１記載の椅子における肘掛け取付構造。
【請求項３】
肘掛け支持部材における上向突部と、それに嵌合される肘掛けの取付基部の下端部に設けた取付孔とを、非円形断面のものとしてなる請求項１または２記載の椅子における肘掛け取付構造。
【請求項４】
脚体における上下方向を向く左右１対の後部脚杆の上部同士を、左右方向を向く連結杆により連結し、前記左右の後部脚杆における前記連結杆より上方に突出する部分を、背凭れ支持杆としてなる請求項１〜３のいずれかに記載の椅子における肘掛け取付構造。
【請求項５】
左右の後部脚杆の上部を、連結杆の両側部に設けた上下方向の貫通孔に挿通して固着してなる請求項４記載の椅子における肘掛け取付構造。
【請求項６】
連結杆をパイプよりなるものとして、その側端部に、肘掛け支持部材を嵌着してなる請求項５記載の椅子における肘掛け取付構造。
【発明の詳細な説明】
【技術分野】
【０００１】
本発明は、肘掛けを、背凭れの外側方に位置するように取付けてなる椅子の肘掛け取付構造に関する。
【背景技術】
【０００２】
従来の椅子の肘掛け取付構造としては、例えば特許文献１に記載されているように、脚体の後部より起立する背凭れ支持杆により支持された背凭れの側面に、上下方向を向く凹溝を設け、この凹溝に肘掛けの後端の下向き取付部を嵌合し、この下向き取付部を、凹溝の奥面に、ねじをもって固定したものや、例えば特許文献２に記載されているように、脚体の一部を構成する上下方向を向く後脚の上端部内に、肘掛けの後端部の肘掛け杆を嵌合し、この肘掛け杆に設けた雌ねじ部材に、後脚の側方より挿入したボルトを螺合させることにより、後脚の内面に肘掛け杆を圧接させてこれを固定するようにしたものがある。
【先行技術文献】
【特許文献】
【０００３】
【特許文献１】特許第４２９５２６７号公報(図５等)
【特許文献２】特許第４４４１０９６号公報
【発明の概要】
【発明が解決しようとする課題】
【０００４】
上記特許文献１に記載されている肘掛け取付構造においては、背凭れの側面の上下方向を向く凹溝内に、肘掛けの下向き取付部が嵌合されており、しかも、互いの固定面積が比較的大きいので、ねじのみによる固定でも、肘掛けが前後方向にぐらつく恐れを小さくしうる利点がある。
しかし、背凭れの側面に凹溝を設けることが必須要件となるため、肘掛けがなくて、凹溝が不要な背凭れとの共通化は図れない。
また、ねじのみによる固定であるため、万一、ねじが弛んだ際に、肘掛けが左右方向にぐらつく恐れがある。
【０００５】
特許文献２に記載の肘掛け取付構造においては、肘掛け杆及びこれが嵌合される後脚とが、共に丸パイプ材よりなっているため、後脚に肘掛け杆を嵌合する際に、肘掛け杆が回動したり、嵌合位置が上下にずれたりすることがある。このようになると、肘掛け杆に設けた雌ねじ部材と、後脚に設けたボルトの挿通孔とが整合しなくなるため、後脚と肘掛け杆とをボルトにより固定する際の作業に手間がかかることとなる。
【０００６】
本発明は、上記問題点に鑑みてなされたもので、背凭れの側面を、肘掛けを取付けるための特別な形状としたり、加工等を施したりする必要がなく、肘掛けの有無に拘わらず、背凭れの共通化を可能とし、かつ肘掛けを容易に位置決めして、安定よく取り付けうるようにした椅子の肘掛け取付構造を提供することを目的としている。
【課題を解決するための手段】
【０００７】
本発明によると、上記課題は、次の各項のようにして解決される。
（１）背凭れを、脚体の後部より起立する背凭れ支持杆により支持するとともに、肘掛けにおける上下方向を向く取付基部の下端部を、前記背凭れの側方において前記脚体の後側端に設けた肘掛け支持部材の上向突部に嵌合し、かつ前記取付基部の上端部を、前記背凭れの側面にボルトをもって締着することにより、前記肘掛けを、その取付基部の内側面が背凭れの側面と当接するようにして、前記脚体と背凭れに取付ける。
【０００８】
このような構成とすると、肘掛けは、その取付基部の下端部が脚体の後側端に立設した肘掛け支持部材に嵌合されて支持され、かつ取付基部の上端部を背凭れの側面にねじ止めして取り付けられているので、背凭れの側面を、従来のように、肘掛けを取付けるための特別な形状としたり、特別な加工等を施したりする必要はなく、肘掛けのない背凭れとの共通化が図れる。
また、肘掛けの取付基部の下端部が、脚体に立設した肘掛け支持部材に嵌合して支持されているので、肘掛けを容易に位置決めして、背凭れの側面に安定よく取付けることができる。
さらに、肘掛けに加わる下向き荷重は、肘掛け支持部材を介して、脚体により受け止められるので、背凭れやねじに大きな荷重が直接加わることがない。
【０００９】
（２）上記(１)項において、背凭れ支持杆に、背凭れを、それに設けた下方に開口する取付孔を嵌合することにより支持し、肘掛けの取付基部に外側方より挿入したボルトを、背凭れの側端部を貫通して、前記背凭れ支持杆の上部に設けた左右方向を向くめねじ孔に螺合することにより、肘掛けを、その取付基部と前記背凭れ支持杆とにより背凭れの側端部を挟持するようにして取付ける。
【００１０】
このような構成とすると、一般的に合成樹脂により形成される背凭れの側面に、肘掛けの取付基部を直接ねじ止めしたもの比して、ねじの締付け力を大とすることができるとともに、背凭れの側端部が、背凭れ支持杆と肘掛けの取付基部とにより強く挟持されるので、背凭れへの肘掛けの取付強度が大となり、これを背凭れの側面に、より安定よく取付けることができる。
【００１１】
（３）上記(１)または(２)項において、肘掛け支持部材における上向突部と、それに嵌合される肘掛けの取付基部の下端部に設けた取付孔とを、非円形断面のものとする。
【００１２】
このような構成とすると、肘掛けの取付基部の下端部が、肘掛け取付部材に対し回動することがないので、取付基部の上端部を１個のねじをもって固定しただけでも、取付基部の下端部がぐらつく恐れはなく、背凭れが安定する。
【００１３】
（４）上記(１)〜(３)項のいずれかにおいて、脚体における上下方向を向く左右１対の後部脚杆の上部同士を、左右方向を向く連結杆により連結し、前記左右の後部脚杆における前記連結杆より上方に突出する部分を、背凭れ支持杆とする。
【００１４】
このような構成とすると、脚体における左右１対の後部脚杆の上部を連結杆により連結しているので、脚体の後部の剛性が高まり、かつ後部脚杆の上部を背凭れ支持杆としているので、背凭れの支持強度を大としうるとともに、この背凭れの側面に、肘掛けを、より安定よく取り付けることができる。
【００１５】
（５）上記(４)項において、左右の後部脚杆の上部を、連結杆の両側部に設けた上下方向の貫通孔に挿通して固着する。
【００１６】
このような構成とすると、左右の後部脚杆を左右方向に容易に位置決めして、互いに強固に連結することができる。
【００１７】
(６) 上記(５)項において、連結杆をパイプよりなるものとして、その側端部に、肘掛け支持部材を嵌着する。
【００１８】
このような構成とすると、脚体に特別な加工を施すことなく、脚体の一部をなす連結杆の側端部に、肘掛け支持部材を容易に取付けることができる。
【発明の効果】
【００１９】
本発明によれば、肘掛けは、その取付基部の下端部が脚体の後側端に立設した肘掛け支持部材に嵌合されて支持され、かつ取付基部の上端部を背凭れの側面にねじ止めして取り付けられているので、背凭れの側面を、肘掛けを取付けるための特別な形状としたり、特別な加工等を施したりする必要はなく、肘掛けのない背凭れとの共通化が図れる。
また、肘掛けの取付基部の下端部が、脚体に立設した肘掛け支持部材に嵌合して支持されているので、肘掛けを容易に位置決めして、背凭れの側面に安定よく取付けることができる。
【図面の簡単な説明】
【００２０】
【図１】本発明の一実施形態を備える椅子の正面図である。
【図２】同じく、側面図である。
【図３】同じく、斜視図である。
【図４】同じく、分解斜視図である。
【図５】図２のＶ−Ｖ線に沿う要部の拡大縦断正面図である。
【図６】同じく、ＶＩ−ＶＩ線に沿う拡大縦断正面図である。
【図７】背凭れの下部を斜め下方より見た拡大斜視図である。
【図８】座の後部と背凭れの下部とを連係させた状態を、下方より見た拡大斜視図である。
【図９】図１のＩＸ−ＩＸ線に沿う拡大縦断面図である。
【発明を実施するための形態】
【００２１】
以下、本発明の実施形態を、図面に基づいて説明する。
図１〜図４に示すように、椅子は、脚体１、座２、背凭れ３、及び左右１対の肘掛け４、４を備えている。
【００２２】
脚体１は、金属パイプを側面視ほぼ台形状に折曲して形成された左右１対の側脚５、５と、この左右の側脚５、５の前上端部の対向面同士を連結する側面視Ｕ字状断面(図９参照)の板金製の前部連結杆６と、同じく、左右の側脚５、５の後上端部同士を連結する、左右の側脚５、５間の左右幅よりも若干長寸の金属パイプよりなる後部連結杆７とからなっている。前部連結杆６の前上縁には、座２の前端部下面に係止可能な左右複数の係止片６ａが、前向きに突設されている。
【００２３】
左右の側脚５、５の上部における後方を向く上部脚杆５ａ、５ａの後端部には、短寸の折曲部５ｂ、５ｂが内向き対向状に連設され、この両折曲部５ｂの後面を、後部連結杆７の両側端部の前面下部に溶接することにより、左右の側脚５、５は、側面視ほぼ台形状に形成されている。なお、上記左右の上部脚杆５ａ、５ａと、前部連結杆６と、後部連結杆７とにより、座２の下面を支持するほぼ水平かつ平面視方形枠状の座支持杆８が構成されている。
【００２４】
左右の側脚５、５における上下方向を向く後部脚杆５ｃ、５ｃの上部同士は、後部連結杆７により連結されている。すなわち、後部連結杆７の両側部に設けた上下方向の貫通孔７ａ(図５参照)に、後部脚杆５ｃの上部を挿通し、溶接等により固着することにより、後部脚杆５ｃ、５ｃの上部同士が、後部連結杆７により連結されている。このようにして、後部脚杆５ｃ、５ｃの上部同士を後部連結杆７により連結すると、後部脚杆５ｃ、５ｃの左右位置を後部連結杆７により容易に位置決めしうるとともに、それらを強固に連結することができる。
後部連結杆７より上方に突出する部分は、背凭れ３の両側部を支持するための背凭れ支持杆９、９とされている。
【００２５】
左右の上部脚杆５ａ、５ａの後部と、左右の折曲部５ｂ、５ｂとの下面には、座２の下面を脚体１に固定するための固定金具１０が、座支持杆８の枠内に突出するようにして、溶接により固着されている。
後部連結杆７の左右の開口端部内には、肘掛け４の下端部を支持可能な非円形断面、すなわち角軸状の上向突部１１ａを有する正面視内向きＬ字状の肘掛け支持金具１１、１１が、圧嵌または溶接により固定されている(肘掛けの取付け要領については後述する)。
【００２６】
座２は、硬質合成樹脂により形成された平面視方形枠状の座フレーム１２と、この座フレーム１２の内周面に外周縁を一体成形することにより、座フレーム１２の枠内に張設された下方に弾性変形可能なメッシュ状の可撓性座板１３とからなっている。座フレーム１２の後端の左右方向の中央部には、座フレーム１２の左右の後隅部に切欠部１４、１４を形成することにより、後向突部１４ａが連設されている。
【００２７】
背凭れ３は、上記座２と同様に、正面視方形枠状をなす硬質合成樹脂製の背フレーム１５と、その枠内に一体的に張設された後方に弾性変形可能なメッシュ状の可撓性背板１６とからなり、背フレーム１５の上下方向の中間部は、側面視において前向「く」の字状に湾曲されている。
背フレーム１５における左右の側部フレーム１５ａ、１５ａの下部には、上記座２の切欠部１４、１４に嵌合可能な左右１対の角形をなす下向突部１７、１７が一体的に突設されている。両下向突部１７の下面は、後部連結杆７の両側端部に上方より嵌合しうるように、側面視上向円弧状の曲面とされている。
【００２８】
図５及び図７に示すように、背フレーム１５における左右の側部フレーム１５ａ、１５ａの下部には、上述した左右の背凭れ支持杆９、９に嵌合可能な上下方向の取付孔１８、１８が、下向突部１７、１７を貫通して下方に開口するように形成されている。
【００２９】
図６〜図８に示すように、左右の側部フレーム１５ａ、１５ａにおける下向突部１７、１７の下端部のやや前部寄りの内側面には、上面が、座２の後両側部下面、すなわち上述した後向突部１４ａの両側部下面と当接することにより、背凭れ３の上方への移動を阻止する突片１９、１９が、互いに内向き対向状に突設されている。
【００３０】
左右の肘掛け４、４は、上下方向を向く角柱状の取付基部４ａと、この取付基部４ａの上端に前向きとして連設され、後端部が若干外向きに折曲された平板状の肘当て部４ｂとからなり、全体が合成樹脂により一体成形されている。
図５に示すように、取付基部４ａの下端部には、上記肘掛け支持金具１１の上向突部１１ａに嵌合可能な下方に開口する四角形断面の取付孔２０が形成され、同じく内側面には、成形材料を節約するために、上下複数の肉抜き凹部２１が形成されている。
また、背凭れ支持杆９の上部の開口端部には、肘掛け４の取付基部４ａをボルト止めするための左右方向を向くめねじ孔２２が穿設された軸状の取付金具２３の下端部が圧嵌されている。なお、このような取付金具２３を取り付けないで、若干長寸とした背凭れ支持杆９の上部に、左右方向のめねじ孔を直接設けてもよい。
【００３１】
椅子を組立てるには、まず、左右の背凭れ支持杆９、９に、背凭れ３における左右の側部フレーム１５ａ、１５ａの下部の取付孔１８を、両下向突部１７の上向円弧状をなす下端面が後部連結杆７の両側端部の上面に当接するまで上方より嵌合し、背凭れ３を左右の背凭れ支持杆９、９により支持する。
【００３２】
ついで、図５に示すように、左右の肘掛け支持金具１１の上向突部１１ａに、肘掛け４における取付基部４ａの下端部の取付孔２０を、上方より嵌合して支持したのち、取付基部４ａの上端部の段付孔２４に外側方より挿入したボルト２５を、側部フレーム１５ａの下部の側面に設けた通孔２６に挿通して、背凭れ支持杆９の上端に取付けた取付金具２３のめねじ孔２２に螺合する。これにより、肘掛け４は、背凭れ３の側部フレーム１５ａの外側面に固定され、かつ同時に、背凭れ３の側部フレーム１５ａも、共通のボルト２５により背凭れ支持杆９に固定される。
【００３３】
この際、肘掛け４は、その取付基部４ａを肘掛け支持金具１１の突軸１１ａに嵌合することにより、上下方向に位置決めされるので、めねじ孔２２と段付孔２４と通孔２６とを互いに整合させた状態で、ボルト２５をめねじ孔２２に容易に螺合させることができ、肘掛け４の取付作業が能率的となる。
【００３４】
また、取付基部４ａの下端部は、非円形の上向突部１１ａに嵌合されて支持され、かつ上向突部１１ａに角形断面をなす取付孔２０を嵌合することにより、肘掛け４の下端部が回り止めされているので、取付基部４ａの上端部のみを１個のボルト２５により固定しただけでも、取付基部４ａの下端部がぐらつく恐れはなく、肘掛け４を背凭れ３の側部フレーム１５ａに安定よく取付けることができる。しかも、ボルト２５は、背凭れ支持杆９に取付けた取付金具２３のめねじ孔２２に螺合されているので、合成樹脂製の側部フレーム１５ａに直接ボルト止めする際に比して、ボルト２５の締付け力を大とすることができるとともに、側部フレーム１５ａの側壁部が、背凭れ支持杆９と肘掛け４の取付基部４ａとにより強く挟持されるので、背凭れ３への肘掛け４の取付強度を大とすることができる。
【００３５】
さらに、背凭れ３の側部フレーム１５ａを、肘掛け４を取付けるための特別な形状としたり、特別な加工等を施したりする必要がないので、肘掛け４のない背凭れとの共通化が図れる。なお、背凭れ３に肘掛け４を取り付けないときには、側部フレーム１５ａに設けた通孔２６を、キャップ等により塞いで目隠しするだけでよい。
【００３６】
上述のようにして、背凭れ３と肘掛け４を取付けたのち、図９に示すように、脚体１の前部連結杆６に前向き突設した左右複数の係止片６ａに、座フレーム１２の前端部後面に形成された後方に開口する左右複数の係合溝２７を、前方より嵌合して係止し、座２全体を、その後部の左右の切欠部１４が背フレーム１５の下端部の下向突部１７、１７間に位置するように、脚体１の上部の枠状をなす座支持杆８の上面に載置する。このようにして座２を座支持杆８に載置すると、上述したように、両下向突部１７の下部対向面に突設した突片１９、１９の上面に、後向突部１４ａの両側部下面が当接する(図６、図８参照)。
【００３７】
この状態で、左右の上部脚杆５ａ、５ａの後部と、左右の折曲部５ｂ、５ｂの下面とに固着した４個の固定金具１０に、座フレーム１２の後両側部下面と、前後方向の中間部の両側部下面とを、下方より挿入したねじ２８により固定する(図９参照)。これにより座２は、脚体１の上部に安定よく取り付けられる。
脚体１の上部に座２を固定すると、図６に示すように、背フレーム１５における左右の下向突部１７の下部対向面に突設した突片１９、１９の上面に、座フレーム１２の後端部の両側部下面が圧接して、左右の下向突部１７の下端部が上方より押え付けられる。従って、たとえ、ボルト２５が弛んだとしても、背凭れ３が上方に移動したり、上下方向にがたついたりするのが防止される。
【００３８】
本発明は、上記実施形態に限定されるものではない。
上記実施形態では、背凭れ３と肘掛け４とを、背凭れ支持杆９の上端部の取付金具２３に、１つのボルト２５により共締めして固定しているが、取付基部４ａの上端部を、背凭れ支持杆９を利用しないで、側部フレーム１５ａの側面に直接ボルト２５により固定してもよい。この際には、背凭れ支持杆９を若干短寸とするか、取付基部４ａを若干長寸として、背凭れ支持杆９よりも上方の側部フレーム１５ａの側面に、めねじ孔を設ければよい。
このようにすると、背凭れ支持杆９と背凭れ３とがボルト２５により固定されないことになるが、上述したように、背凭れ３の左右の下向突部１７の下端部に突設した突片１９が、座フレーム１２の後端部の両側部下面により押え付けられているので、背凭れ３が上方に移動したり、上下方向にがたついたりすることはない。
【符号の説明】
【００３９】
１  脚体
２  座
３  背凭れ
４  肘掛け
４ａ取付基部
４ｂ肘当て部
５  側脚
５ａ上部脚杆
５ｂ折曲部
５ｃ後部脚杆
６  前部連結杆
６ａ係止片
７  後部連結杆
７ａ貫通孔
８  座支持杆
９  背凭れ支持杆
１０  固定金具
１１  肘掛け支持金具(肘掛け支持部材)
１１ａ上向突部
１２  座フレーム
１３  可撓性座板
１４  切欠部
１４ａ後向突部
１５  背フレーム
１５ａ側部フレーム
１６  可撓性背板
１７  下向突部
１８  取付孔
１９  突片
２０  取付孔
２１  肉抜き凹部
２２  めねじ孔
２３  取付金具
２４  段付孔
２５  ボルト
２６  通孔
２７  係合溝
２８  ねじ
【図１】
0005670701.tif 000002
【図２】
0005670701.tif 000003
【図３】
0005670701.tif 000004
【図４】
0005670701.tif 000005
【図５】
0005670701.tif 000006
【図６】
0005670701.tif 000007
【図７】
0005670701.tif 000008
【図８】
0005670701.tif 000009
【図９】
0005670701.tif 000010